(57)【要約】【課題】  本発明は、バストの動きに対する追従性を向上すると共に、バストの寄せ効果、保形効果の更なる向上が図られた、着用感の非常にソフトなブラジャー類を提供することを目的とする。【解決手段】  本発明は、バストを覆う左右一対のカップ部１２と、土台部１４と、バック部１６と、肩紐１８とを含んで成るブラジャー類（ブラジャー１０）において、カップ部１２が、前中心側カップ部２０と、肩紐１８に接続される脇部側カップ部２３とを含んで構成され、脇部側カップ部２３が、少なくとも表地３１、非伸縮性の生地から成る芯地３４、不織布３３、裏地３２を含む積層体３５で形成され、且つ積層体３５中における表地３１、芯地３４、不織布３３、裏地３２がこの順で積層されていることを特徴とする。【選択図】  図１
2008214777.tif 000002
【特許請求の範囲】
【請求項１】
バストを覆う左右一対のカップ部と、土台部と、バック部と、肩紐とを含んで成るブラジャー類において、
前記カップ部が、前中心側カップ部と、前記肩紐に接続される脇部側カップ部とを含んで構成され、
前記脇部側カップ部が、少なくとも表地、非伸縮性の生地から成る芯地、不織布、裏地を含む積層体で形成され、且つ該積層体中における前記表地、芯地、不織布、裏地がこの順で積層されていることを特徴とするブラジャー類。
【請求項２】
前記カップ部の脇部側と前記バック部との間にサイドパネルを設け、且つ該サイドパネルが、前記積層体で形成されたことを特徴とする請求項１に記載のブラジャー類。
【請求項３】
前記芯地がマーキゼットであることを特徴とする請求項１又は請求項２に記載のブラジャー類。
【発明の詳細な説明】
【技術分野】
【０００１】
本発明は、バストの寄せ効果を高めたブラジャー類に関する。
【背景技術】
【０００２】
従来、バストを覆うカップ部を備えたブラジャーにおいて、着用時にバスト形状を補正する機能を備えたものは種々提案されている（例えば、特許文献１乃至特許文献３参照。）。特許文献１には、湾曲した弾性樹脂や弾性金属から成る芯材を含むパッドをカップ部に備えたブラジャー等の衣類が開示されている。また、特許文献２には、芯となる布地に熱硬化性樹脂液を散布して熱成形することにより非伸縮部位が形成されたブラジャー用カップが開示され、特許文献３には、ワイヤーの挿入位置を工夫したブラジャーが開示されている。
【０００３】
更に、本願出願人は、バストの寄せ効果、保形効果に優れる、非伸縮性のサイドパネルを設けたブラジャー類を先に提案している（特許文献４参照）。
【０００４】
【特許文献１】特開２００３−３０６８０３号公報（請求項１、８、１０、図５）
【特許文献２】特開２００２−１５５４０３号公報（請求項１、図３）
【特許文献３】特開平９−１５７９１１号公報（請求項１、図１）
【特許文献４】特開２００５−２６４３５１号公報（請求項１、図２）
【発明の開示】
【発明が解決しようとする課題】
【０００５】
しかし、上記特許文献１に係るパッドや特許文献２に係るカップは、柔軟性に乏しく、バストの動きに対して十分に追従できない。従って、腕の屈伸運動に伴ってカップ部がずり上がり、バストの寄せ効果や保形効果といったブラジャーの機能性を低下させるという欠点があった。また、これらはブラジャーを構成する他の要素に比較して高剛性であり、更には、カップ部自体が重く且つ分厚くなるため、着用感を著しく悪化させることにも繋がる。
【０００６】
また、特許文献３に係るブラジャーにおいても、カップ部が脇部側、即ち横方向へ引っ張られた際、柔軟性のあるワイヤーの場合にはワイヤー自体が横方向に開いてしまい、バストの寄せ効果や保形効果が十分に発揮されない。一方、高剛性のワイヤーの場合には、ワイヤーが身体に苦痛を与える恐れがあり、着用感を著しく悪化させることとなる。
【０００７】
そこで本願発明者は、上記の問題点に鑑み、バストの動きに対する追従性を向上すると共に、バストの寄せ効果、保形効果の更なる向上が図られた、着用感の非常にソフトなブラジャー類を提供するべく鋭意検討を重ねた結果、本発明に至ったのである。
【課題を解決するための手段】
【０００８】
即ち、本発明の要旨とするところは、バストを覆う左右一対のカップ部と、土台部と、バック部と、肩紐とを含んで成るブラジャー類において、前記カップ部が、前中心側カップ部と、前記肩紐に接続される脇部側カップ部とを含んで構成され、前記脇部側カップ部が、少なくとも表地、非伸縮性の生地から成る芯地、不織布、裏地を含む積層体で形成され、且つ該積層体中における前記表地、芯地、不織布、裏地がこの順で積層されていることにある。
【０００９】
また、かかるブラジャー類において、前記カップ部の脇部側と前記バック部との間にサイドパネルが設けられ、且つ該サイドパネルが、前記積層体で形成されたことを特徴とする。
【００１０】
更に、かかるブラジャー類において、前記芯地にはマーキゼットが適用されることが好ましい。
【発明の効果】
【００１１】
本発明のブラジャー類に係るカップ部は、前中心側カップ部と、肩紐に接続される脇部側カップ部とを含んで構成され、脇部側カップ部は、少なくとも表地、非伸縮性の生地から成る芯地、不織布及び裏地を含む積層体で形成され、且つ当該積層体中における表地、芯地、不織布及び裏地はこの順で積層されている。つまり、当該脇部側カップ部は、この脇部側カップ部を形成する積層体中に非伸縮性の生地から成る芯地が介在されているため、前中心側カップ部に比べて伸縮性が抑制される。従って、本発明のブラジャー類によると、まずカップ部が前中心側カップ部及び脇部側カップ部を含んで構成されることによって、カップ部の形態安定性が向上され、バストの寄せ効果、保形効果といったブラジャー類の機能性が向上される。そして、例えば前中心側カップ部が、上側カップ部と下側カップ部とを含んで構成された場合には、カップ部の形態安定性は更に向上され、上記ブラジャー類の機能性は一層向上されることとなる。また、芯地を含む積層体で形成された脇部側カップ部によって脇側に張り感が出ると共に、当該脇部側カップ部は肩紐に接続されて上方へ引き上げられるため、バストの中央側への寄せ効果、保形効果の更なる向上が図られ、着用感も飛躍的に向上される。更には、洗濯後のカップ部の形状変化を抑制することもできる。
【００１２】
また、上記積層体に含まれる芯地は、表地、裏地及び不織布に比べて若干剛性は高いものの、積層体中において、脇部側カップ部の裏面側、即ち肌側には、少なくとも不織布及び裏地が積層されており、芯地自体も織物地或いは編物地等の生地である。従って、本発明のブラジャー類の着用感は非常にソフトであり、長時間の着用による着用者へのストレスも軽減することができる。
【００１３】
更に、本発明のブラジャー類において、脇部側カップ部を含むカップ部は柔軟性があるため、バストの動きに対する追従性も良好である。従って、腕の屈伸運動に伴うカップ部のずり上がり、バストの寄せ効果や保形効果の減少を抑制することができる。
【００１４】
また更に、本発明における芯地の素材に、非伸縮性であって且つ薄地のマーキゼットを適用することによって、脇部側カップ部を形成する積層体自体が分厚くならない。従って、積層体で形成される脇部側カップ部を含むカップ部自体の厚みも抑制できるため、着用感やデザイン性の向上に繋がる。
【００１５】
また、本発明のブラジャー類において、カップ部の脇部側とバック部の間にサイドパネルを設け、且つ当該サイドパネルを上記積層体で形成することによって、カップ部及び着用者の脇部をサイドパネルによってしっかり押さえることができると共に、サイドパネルを縫着したカップ部の脇側、即ち脇部側カップ部が肩紐１８に接続されているため、脇部側カップ部を介してサイドパネルが中央側へ積極的に引き寄せられる。つまり、本発明のブラジャー類によると、バストの寄せ効果、保形効果の更なる向上が図られると共に、バスト下からの持ち上げ効果、着痩せ効果も期待できる。
【発明を実施するための最良の形態】
【００１６】
以下、本発明のブラジャー類の実施形態について、ブラジャーを例に挙げて図面に基づき説明する。なお、本発明のブラジャー類には、図示したブラジャーの他、カップ部を備えたボディースーツ、カップ付きドレス、ブラスリップ、水着、レオタード、オールイン型ブラジャー等が含まれ、本発明はブラジャーに限定されるものではない。また、本発明は以下に示す実施形態に限定されるものでもない。
【００１７】
本実施の形態に係るブラジャー１０は、図１に示したように、バストを覆う左右一対のカップ部１２と、土台部１４と、バック部１６と、肩紐１８とを含んで構成されている。なお、同図中、向かって左側はカップ部１２、土台部１４及び肩紐１８の背面側を示す概略背面図、右側はカップ部１２、土台部１４、バック部１６及び肩紐１８を示す概略正面図である。
【００１８】
本実施形態のブラジャー１０に係るカップ部１２は、前中心側カップ部２０と脇部側カップ部２３とを含んで構成されており、更に前中心側カップ部２０は、上側カップ部２１と下側カップ部２２とを含んで構成されている。符号１３は、脇部側カップ部２３と肩紐１８との縫着部であり、脇部側カップ部２３の上端部に肩紐１８の端部が重合され、縫着部１３において一体的に縫着されることによって、肩紐１８と脇部側カップ部２３とが接続されている。また、符号２５は、上側カップ部２１、下側カップ部２２及び脇部側カップ部２３の縫着部であり、図２（ａ）に示したように、細幅テープ生地３０により、上側カップ部２１と下側カップ部２２、及び下側カップ部２２と脇部側カップ部２３とが各々一体的に縫着されている。
【００１９】
同図中、符号２４は刺繍が施されたレース生地等の装飾用生地、符号２６は上側カップ部２１と装飾用生地２４との縫着部、符号３１はワイヤー、符号３２は周知の手段により筒状に形成された筒状生地である。カップ部１２の裏面側で且つ下方周縁部には、ワイヤー３１が挿通された筒状生地３２が重合され、土台部１４、装飾用生地２４、脇部側カップ部２３及びワイヤー３１入りの筒状生地３２は、縫着部２７で一体的に縫着されている。なお、縫着部２７ではワイヤー３１入りの筒状生地３２が脇部側カップ部２３に重合されているが、図１からも明らかなように、カップ部１２の下方周縁部において筒状生地３２が重合、縫着されるのは、下側カップ部２２及び上側カップ部２１の箇所も当然に存在する。また、符号２８は、土台部１４の裏面側に細幅テープ生地３０を重合させて一体的に縫着した縫着部である。土台部１４の生地素材としては、伸縮性のラッセル編地や経編地等が好ましいが、目的に応じて非伸縮性の編地も適用し得る。更に、同図では図１に示したパッド１９を省略しているが、パッド１９をカップ部１２へ取り付ける方法としては、例えばカップ部１２の裏面側にパッド収納用ポケット（不図示）を設け、このパッド収納用ポケットにパッド１９を収納することによりカップ部１２へパッド１９を取り付ける方法が挙げられる。
【００２０】
上側カップ部２１及び下側カップ部２２は、図２（ｂ）に示したように、伸縮性に富むトリコット等の表地３１と、綿や綿ポリエステル混の編物、天竺等の裏地３２の間に、嵩高性に富む不織布３３を介在させた状態で、周知の手段で一体的に熱圧着することによって形成されている。また、図２（ｃ）に示したように、脇部側カップ部２３は、表地３１、非伸縮性の生地から成る芯地３４、不織布３３及び裏地３２がこの順で積層され、周知の手段により一体的に熱圧着して成る積層体３５で形成されている。
【００２１】
ここで、不織布３３の目付量や厚さは特に限定されないが、例えば目付２０〜５０ｇ／ｍ２、厚さ１〜２ｍｍ程度のものが、脇部側カップ部２３が分厚くなり過ぎず、且つ適度なクッション性、伸縮性を備える点で好ましい。また、不織布３３としては、バインダボンド不織布、ニードルパンチ不織布、水流絡合不織布等が挙げられる。更に、不織布３３の素材としては、ポリエステル、ナイロン、アクリル、レーヨン等のステープルや綿、或いはこれらの混合物が挙げられる。
【００２２】
芯地３４の素材としては、経、緯方向共に非伸縮性の生地であれば特に限定されず、例えば、ナイロンやポリエステル系繊維、アクリル系繊維、セルロース系繊維等を用いて織成若しくは編成して得られる薄地の織物地或いは緯糸挿入編物地等の非伸縮性生地が挙げられる。また、芯地３４の目付量も特に限定されないが、２０〜６０ｇ／ｍ２であることが好ましい。そして、本発明に係る芯地３４としては、マーキゼットが、変形時の目ずれがなく、薄手で且つ張りがあるため特に好ましい。
【００２３】
以上のように、本実施形態のブラジャー１０は、カップ部１２が上側カップ部２１と下側カップ部２２とで構成される前中心側カップ部２０及び脇部側カップ部２３を含んで構成され、且つ脇部側カップ部２３が、表地３１、芯地３４、不織布３３及び裏地３２をこの順で積層して成る積層体３５で形成されている。つまり、脇部側カップ部２３は、この脇部側カップ部２３を形成する積層体３５中に非伸縮性の生地から成る芯地３４が介在されているため、前中心側カップ部２０を構成する上側カップ部２１及び下側カップ部２２に比べて伸縮性が抑制される。従って、本実施形態のブラジャー１０によると、まずカップ部１２が上側カップ部２１、下側カップ部２２及び脇部側カップ部２３を含んで構成されることによってカップ部１２の形態安定性が向上され、バストの寄せ効果、保形効果といったブラジャー１０の機能性が一層向上される。また、芯地３４を含む積層体３５で形成された脇部側カップ部２３によって脇側に張り感が出ると共に、脇部側カップ部２３が肩紐１８に接続されて上方へ引き上げられるため、バストの中央側への寄せ効果、保形効果の更なる向上が図られると共に、従来の湾曲した弾性樹脂や弾性金属から成る芯材を備えたブラジャーに比べて、着用感も飛躍的に向上される。更には、洗濯後のカップ部１２の形状変化を抑制することもできる。
【００２４】
また、積層体３５に含まれる芯地３４は、表地３１、裏地３２及び不織布３３に比べて若干剛性は高いものの、積層体３５中において、脇部側カップ部２３の裏面側、即ち肌側には、少なくとも不織布３３及び裏地３２が積層されており、芯地３４自体も織物地或いは編物地等の生地である。従って、本実施形態のブラジャー１０の着用感は非常にソフトであり、長時間の着用による着用者へのストレスも軽減することができる。
【００２５】
更に、本実施形態のブラジャー１０において、脇部側カップ部２３を含むカップ部１２は、従来の湾曲した弾性樹脂や弾性金属から成る芯材を含むカップ部等に比べて柔軟性があるため、バストの動きに対する追従性も良好である。従って、腕の屈伸運動に伴うカップ部１２のずり上がり、バストの寄せ効果や保形効果の減少を抑制することができる。
【００２６】
また更に、本発明における芯地の素材は特に限定されないが、本実施形態における芯地３４にナイロンやポリエステル系繊維等から成るマーキゼットを適用した場合は、マーキゼットが非伸縮性であって且つ薄地であるため、脇部側カップ部２３を形成する積層体３５自体が分厚くならない。従って、積層体３５で形成される脇部側カップ部２３を含むカップ部１２自体の厚みも抑制できるため、着用感やデザイン性の向上に繋がる。また、２０〜２００デニール、特に５０〜１５０デニールの繊維から成るマーキゼットを芯地３４に適用することによって、本実施形態のブラジャー１０に係るカップ部１２の寄せ効果、保形効果及び着用感のより一層の向上が図られる。なお、マーキゼットの繊維が２０デニール未満であると、芯地３４に適度な剛性を付与することできず、芯地３４を含む脇部側カップ部２３による寄せ効果及び保形効果を十分に発揮することが困難となる。一方、２００デニールを超えると、芯地３４が硬くなり過ぎて、着用感の著しい低下に繋がる。
【００２７】
図３は、本発明の他の実施形態を示したものである。同図に示したブラジャー１１は、図１に示したブラジャー１１と同様、バストを覆う左右一対のカップ部１２と、土台部１４と、バック部１６と、肩紐１８とを含んで構成されている。なお、図３中、向かって左側はカップ部１２、土台部１４、バック部１６、肩紐１８及び後述するサイドパネル４０の背面側を示す概略背面図、右側はカップ部１２、土台部１４、バック部１６及び肩紐１８を示す概略正面図である。
【００２８】
本実施形態のブラジャー１１に係るカップ部１２も、前中心側カップ部２０と脇部側カップ部２３とを含んで構成され、更に前中心側カップ部２０が上側カップ部２１と下側カップ部２２とで構成されており、図４に示したように、細幅テープ生地３０により、上側カップ部２１と下側カップ部２２、及び下側カップ部２２と脇部側カップ部２３とが、縫着部２５において各々一体的に縫着されている。符号１３は、脇部側カップ部２３と肩紐１８との縫着部であり、脇部側カップ部２３の上端部に肩紐１８の端部が重合され、縫着部１３において一体的に縫着されることによって、肩紐１８と脇部側カップ部２３とが接続されている。なお、上側カップ部２１、下側カップ部２２及び脇部側カップ部２３は、図２（ｂ）（ｃ）に示した態様と同一であるため、説明は省略する。
【００２９】
更に、本実施形態のブラジャー１１では、カップ部１２の脇部側とバック部１６との間にサイドパネル４０が設けられている。サイドパネル４０は、上記脇部側カップ部２３と同様、表地３１、非伸縮性の生地から成る芯地３４、不織布３３及び裏地３２がこの順で積層され、周知の手段により一体的に熱圧着して成る積層体３５で形成されている（図２（ｃ）参照）。そして、図４に示したように、土台部１４と装飾用生地２４との間にサイドパネル４０を介在させた状態で、土台部１４、サイドパネル４０、装飾用生地２４、脇部側カップ部２３及びワイヤー３１入りの筒状生地３２を重合させ、縫着部２７ａで一体的に縫着されている。なお、符号２８ａは、土台部１４の裏面側と細幅テープ生地３０との間にサイドパネル４０を介在させた状態でこれらを重合させ、一体的に縫着した縫着部である。また、符号４２はサイドパネル４０とバック部１６との縫着部であり、サイドパネル４０の外側端縁部の裏面側に、バック部１６の端縁部を重合して一体的に縫着されている。
【００３０】
以上の構成から成る本実施形態のブラジャー１１によると、上記の実施形態に係るブラジャー１０と同様、カップ部１２の形態安定性の向上及び脇部側カップ部２３によるバストの寄せ効果、保形効果といったブラジャー１１の機能性が向上されると共に、着用感の向上、洗濯後の形状変化の抑制等も図られる。
【００３１】
更に、本実施形態のブラジャー１１では、非伸縮性の生地から成る芯地３４を含む積層体３５で形成されたサイドパネル４０が、カップ部１２の脇部側とバック部１６との間に設けられている。従って、カップ部１２及び着用者の脇部をサイドパネル４０によってしっかり押さえることができると共に、サイドパネル４０を縫着した脇部側カップ部２３が肩紐１８に接続されているため、脇部側カップ部２３を介してサイドパネル４０が中央側へ積極的に引き寄せられる。つまり、本実施形態のブラジャー１１によると、バストの寄せ効果、保形効果の更なる向上が図られると共に、バスト下からの持ち上げ効果、着痩せ効果も期待できる。
【００３２】
以上に例示した本発明の実施形態に係るブラジャー１０、１１は、本発明の技術的思想を実質的に限定するものと解してはならない。例えば、上記実施形態に係るブラジャー１０、１１では、カップ部１２を構成する前中心側カップ部２０が上側カップ部２１及び下側カップ部２２の二つの要素で構成されているが、前中心側カップ部２０の構成はこれに限定されない。つまり、上側カップ部２１と下側カップ部２２とが予め一体的に形成された一つの要素で構成された前中心側カップ部、或いは三つ以上の要素で構成された前中心側カップ部等、何れの構成であってもよい。
【００３３】
また、上記実施形態に係るブラジャー１１では、サイドパネル４０を設けることによってバスト下からの持ち上げ効果が期待できるが、カップ部１２の裏面側にパッド１９（図１参照）が設けられてもよい。
【００３４】
更に、上記実施形態に係るブラジャー１１において、サイドパネル４０の中央部側の端部を、カップ部１２の下方周縁部に沿って下側カップ部２２の下方へ延出させてもよい。サイドパネル４０を下側カップ部２２の下方、つまり前中心側カップ部２０の下方へ延出させることによって、バスト下からの持ち上げ効果が向上されると共に、腕の屈伸運動に伴うカップ部１２のずり上がり等も更に抑制できる。
【００３５】
また、図１及び図３に示した脇部側カップ部２３について、脇部側カップ部２３の下端部２３ａを、カップ部１２の下方周縁部に沿って下側カップ部２２の下方へ延出させてもよい。即ち、カップ部１２に略Ｌ字形状に湾曲させた脇部側カップ部を適用することによって、バスト下からの持ち上げ効果が向上されると共に、腕の屈伸運動に伴うカップ部１２のずり上がり等も更に抑制できる。
【００３６】
また更に、脇部側カップ部２３及びサイドパネル４０を形成する積層体３５の構成についても、図２（ｃ）に示した表地３１、非伸縮性の生地から成る芯地３４、不織布３３及び裏地３２のみから成るものに限定されない。つまり、少なくとも表地３１、非伸縮性の生地から成る芯地３４、不織布３３及び裏地３２を含む積層体であって、且つ当該積層体中における表地３１、芯地３４、不織布３３、裏地３２がこの順で積層されていればよい。従って、本発明に係る積層体には、表地３１と芯地３４との間、芯地３４と不織布３３との間、不織布３３と裏地３２との間に、他の生地を介在させた状態で、周知の手段により一体的に熱圧着して成るものも含まれる。本発明は、その要旨を逸脱しない範囲で、当業者の創意と工夫により、適宜に改良、変更又は追加をしながら実施できる。
【図面の簡単な説明】
【００３７】
【図１】本発明の一実施形態に係るブラジャーを示した概略背面図及び概略正面図である。
【図２】図１のＸ−Ｘ断面による概略断面図である。
【図３】本発明の他の実施形態に係るブラジャーを示した概略背面図及び概略正面図である。
【図４】図３のＹ−Ｙ断面による概略断面図である。
【符号の説明】
【００３８】
１０、１１：ブラジャー
１２：カップ部
１４：土台部
１６：バック部
１８：肩紐
２０：前中心側カップ部
２１：上側カップ部
２２：下側カップ部
２３：脇部側カップ部
３１：表地
３２：裏地
３３：不織布
３４：芯地
３５：積層体
４０：サイドパネル
【図１】
2008214777.tif 000003
【図２】
2008214777.tif 000004
【図３】
2008214777.tif 000005
【図４】
2008214777.tif 000006